(57)【要約】【課題】構成簡単で薄型化でき、被計量構造物の据え付けも容易に行なえるようにした構造物の計量用支持構造体を安価に提供できるようにする。【解決手段】断面形状が凵状の取付金具３と、この取付金具３の中央部に載置されて上下方向に向いてセットされる計量用手段としてのロードセル５と、このロードセル５の上端に裏面が当接するように前記取付金具３の両側の板部３ｂ間に水平に張設された板ばね６と、前記ロードセル５の上端に板ばね６を介して載せられ板ばね６に対して板ばね６の下側からねじ結合された受け金具８とから構成した。【選択図】　　　　図１
2004085332.tif 000002
【特許請求の範囲】
【請求項１】
断面形状が凵状の取付金具と、この取付金具の中央部に載置されて上下方向に向いてセットされる計量用手段としてのロードセルと、このロードセルの上端に裏面が当接するように前記取付金具の両側の板部間に水平に張設された板ばねと、前記ロードセルの上端に板ばねを介して載せられ板ばねに対して板ばねの下側からねじ結合された受け金具とから構成されてなることを特徴とする構造物の計量用支持構造体。
【発明の詳細な説明】
【０００１】
【発明の属する技術分野】
本発明は、例えば貯留タンク、ホッパまたは台秤などの被計量構造物をロードセルを介して支持する構造物の計量用支持構造体に関するものである。
【０００２】
【従来の技術】
従来、例えばセメントなどの粉粒体の重量を計測する場合、通常、計量すべき粉粒体をロードセルを介して支持された計量ホッパに投入し、これらロードセルの出力に基づいて計量を行なう。
【０００３】
上記ホッパのような被計量構造物をロードセルを介して支持する支持構造体としては、例えば実公平８−４５７６号公報で開示されているような、基礎に取り付けられる第１の取付板と、この第１の取付板と平行な位置関係で被計量構造物に取り付けられる第２の取付板とを有し、これら第１および第２の取付板の間にロードセルを介在させて上記構造物を支持する構造物の計量用支持構造体において、一端で前記第１の取付板に対して回動可能に連結され、他端で前記第２の取付板に対して回動可能に連結され、且つこれら両端間の距離が可変である連結手段を設けて、支持構造体上に据え付けられた被計量構造物の振れ止めを行なうようにしたものが知られている。
【０００４】
具体的には、前記連結手段は前記第１の取付板に設けられた第１のブラケットに該取付板と平行な第１の軸により軸支された第１のリンク部材と、前記第２の取付板に設けられた第２のブラケットに前記第１の軸と平行な第２の軸により軸支された第２のリンク部材と、これら両リンク部材を連結する可変長連結部材を有して構成されている。
【０００５】
しかしながら、このような構造物の計量用支持構造体は、第１の取付板に設けられた上向きの第１のブラケットの上端と第２の取付板に設けられた下向きの第２のブラケットの下端との間に第１および第２のリンク部材と可変長連結部材を備えて振れ止め機構を構成しており、構成が複雑となってコストが高くなるという問題があった。また、第１の取付板と第２の取付板との間の間隔が大きくなり、計量用支持構造体を薄型化することができず、第１の取付板と第２の取付板との間に薄型のロードセルを介在させることが困難であるという問題があった。さらに、計量用支持構造体を薄型化することができないために、計量用支持構造体の高さが高くなり、計量用支持構造体の上に貯留タンクなどの被計量構造物を据え付ける作業に手間取るという問題があった。
【０００６】
【発明が解決しようとする課題】
本発明はこのような課題を解決するもので、構成簡単で薄型化でき、被計量構造物の据え付けも容易に行なえるようにした構造物の計量用支持構造体を安価に提供できるようにすることを目的とするものである。
【０００７】
【課題を解決するための手段】
この課題を解決するために本発明は、断面形状が凵状の取付金具と、この取付金具の中央部に載置されて上下方向に向いてセットされる計量用手段としてのロードセルと、このロードセルの上端に裏面が当接するように前記取付金具の両側の板部間に水平に張設された板ばねと、前記ロードセルの上端に板ばねを介して載せられ板ばねに対して板ばねの下側からねじ結合された受け金具とから構成されてなることを要旨とするものである。
【０００８】
この構成により、計量用支持構造体を介して被計量構造物を支持した状態において、地震などにより水平方向に不測の揺れが生じたときは前記受け金具が結合される板ばねにより被計量構造物の揺れを緩和することができる。
【０００９】
【発明の実施の形態】
以下、本発明の一実施の形態について、図面に基づいて説明する。
図１〜図５において、１は基礎２の水平面上に固定されたベースプレートで、このベースプレート１上にはベースプレート１上に重なる板部３ａとこの板部３ａの両側から立ち上がる板部３ｂとからなる断面形状が凵状の取付金具３が載せられてボルト４によりねじ止めされるようになっている。５は前記取付金具３の中央部に載置されて上下方向に向いてセットされる計量用手段としての薄型のロードセルで、このロードセル５の上端高さ位置に前記板部３ｂの上端高さ位置が揃うように取付金具３が作られている。６は前記ロードセル５の上端に裏面が当接するように前記取付金具３の両側の板部３ｂ，３ｂ間に水平に張設された厚さ０．２〜０．５ｍｍ程度の板ばねである。７は前記板部３ｂ，３ｂ上に板ばね６を止めるためのねじである。８は前記ロードセル５の上端に板ばね６を介して載せられる受け金具で、上面には球面状の凹部８ａが形成されている。そして、この受け金具８は板ばね６に対して板ばね６の下側からねじ９により結合されている。
【００１０】
図４および図５に上記構成の構造物の計量用支持構造体の使用例を示し、同図において貯留タンク、ホッパなどの被計量構造物１０を所定位置に取り付ける前に、被計量構造物１０の周囲４箇所に相当する箇所においてそれぞれ計量用支持構造体をベースプレート１を介して基礎２上に取り付ける。つまり、被計量構造物１０を周囲４箇所の計量用支持構造体で受けるようにするのであり、被計量構造物１０の周囲４箇所に設けた脚１１の下端を前記受け金具８の凹部８ａ上に載せ、溶接にて取り付ける。なお、前記被計量構造物１０を受ける４つの計量用支持構造体はそれぞれを正面から見て前記各部材が同じ位置関係となるよう基礎２上に取り付けられている。
【００１１】
上記のように基礎２上に４つの計量用支持構造体を介して被計量構造物１０を支持した状態において、地震などにより水平方向に不測の揺れが生じたときは前記受け金具８が結合される板ばね６により被計量構造物１０の揺れが緩和される。
【００１２】
なお、地震などにより縦方向に不測の揺れが生じたときは図示はしていないが別途設けられる浮き上がり防止手段により被計量構造物１０の縦方向の揺れが緩和されるようになっている。
【００１３】
ところで、以上述べた図面に示す実施の形態では、被計量構造物１０の周囲４箇所に設けた脚１１の下端を前記受け金具８上に載せ、溶接にて取り付けているが、被計量構造物を受け金具に対してボルト、ナットにて取り付けるようにしても良い。
【００１４】
【発明の効果】
以上のように本発明の計量用支持構造体は、断面形状が凵状の取付金具と、この取付金具の中央部に載置されて上下方向に向いてセットされる計量用手段としてのロードセルと、このロードセルの上端に裏面が当接するように前記取付金具の両側の板部間に水平に張設された板ばねと、前記ロードセルの上端に板ばねを介して載せられ板ばねに対して板ばねの下側からねじ結合された受け金具とから構成されており、この計量用支持構造体を介して被計量構造物を支持した状態において、地震などにより水平方向に不測の揺れが生じたときは前記受け金具が結合される板ばねにより被計量構造物の揺れを緩和することができる。そして、本発明の計量用支持構造体は上記のような簡単な構成で安価で薄型化でき、被計量構造物の据え付けも容易に行なうことができる。
【図面の簡単な説明】
【図１】本発明の一実施の形態における計量用支持構造体の斜視図である。
【図２】同計量用支持構造体の側面図である。
【図３】同計量用支持構造体の平面図である。
【図４】同計量用支持構造体で被計量構造物を受けた状態を示す斜視図である。
【図５】同計量用支持構造体で被計量構造物を受けた状態を示す側面図である。
【符号の説明】
１　　　ベースプレート
２　　　基礎
３　　　取付金具
３ａ　　板部
３ｂ　　板部
４　　　ボルト
５　　　ロードセル
６　　　板ばね
７　　　ねじ
８　　　受け金具
８ａ　　凹部
９　　　ねじ
１０　　　被計量構造物
【図１】
2004085332.tif 000003
【図２】
2004085332.tif 000004
【図３】
2004085332.tif 000005
【図４】
2004085332.tif 000006
【図５】
2004085332.tif 000007